(57)【要約】【課題】  使用するに際して特別な技術・知識の習得が必要なく、各技術者の技術計算の条件および結果を他の技術者が共有できるシステムの提供を目的とする。【解決手段】  汎用表計算ソフトを制御する制御プログラム１２を備え、該プログラムが計算条件・計算結果を格納するデータベースからの読み出し、及びまたは格納を行う。計算自体は制御プログラム１２を介して汎用表計算ソフトが行うので、特別なプログラムに関する知識がない技術者でも計算式を容易に作成することができる。また、制御プログラム１２はリモートコンピューター１６，１７に接続されたデータベースにもアクセスできるので、より多くの技術者の計算条件・計算結果を参照することができ、計算条件設定および計算に関する無駄な試行錯誤を防止できる。【選択図】図１
2006285813.tif 000002
【特許請求の範囲】
【請求項１】
汎用表計算プログラムをバックグラウンドで操作する計算データ管理システムであって、汎用表計算プログラムと汎用表計算プログラムを制御する制御プログラムと、前記２種類のプログラムが動作する動作コンピューターと、該動作コンピューターに接続された入出力端末と、前記動作コンピューターに接続された計算条件および計算結果を格納する計算条件・結果データベースおよび汎用表計算プログラムのシートを格納する計算シートデータベースからなり、前記制御プログラムが、前記計算条件・結果データベースから格納されている計算条件・結果を読み出し、前記計算シートデータベースから計算式が格納されているシートを読み出し、入出力端末によって変更された数値を読み取り、これらの数値をもとに汎用表計算ソフトに計算を行わせ、妥当な計算結果を算出した計算条件とその計算結果を前記計算条件・結果データベースに蓄積する計算データ管理システム。
【請求項２】
汎用表計算プログラムをバックグラウンドで操作する計算データ管理システムであって、汎用表計算プログラムと汎用表計算プログラムを制御する制御プログラムと、前記２種類のプログラムが動作する動作コンピューターと、該動作コンピューターに接続された入出力端末と、少なくとも一つのリモートコンピューターと、前記リモートコンピューターに接続された計算条件および計算結果を格納する計算条件・結果データベースおよび汎用表計算プログラムのシートを格納する計算シートデータベースと、動作コンピューターとリモートコンピューターを結ぶ通信回線からなり、前記制御プログラムが、前記計算条件・結果データベースから格納されている計算条件・結果を読み出し、前記計算シートデータベースから計算式が格納されているシートを読み出し、入出力端末によって変更された数値を読み取り、これらの数値をもとに汎用表計算ソフトに計算を行わせ、妥当な計算結果を算出した計算条件とその計算結果を前記計算条件・結果データベースに蓄積する計算データ管理システム。
【請求項３】
汎用表計算プログラムをバックグラウンドで操作する制御プログラムであって、該制御プログラムと、汎用表計算プログラムが動作する動作コンピューターと、該動作コンピューターに接続された入出力端末と、前記動作コンピューターに接続された計算条件および計算結果を格納する計算条件・結果データベースおよび汎用表計算プログラムのシートを格納する計算シートデータベースからなるシステムにおいて、前記動作コンピューターに、前記計算条件・結果データベースから格納されている計算条件・結果を読み出す手順と、前記計算シートデータベースから計算式が格納されているシートを読み出す手順と、入出力端末によって変更された数値を読み取り、これらの数値をもとに汎用表計算ソフトに計算を行わせる手順と、妥当な計算結果を算出した計算条件とその計算結果を前記計算条件・結果データベースに蓄積する手順を実行させる制御プログラム。
【発明の詳細な説明】
【技術分野】
【０００１】
本発明は技術計算の計算条件および計算結果の蓄積および再利用システムに係り、特に汎用表計算プログラムを制御するプログラム（以下、制御プログラム）を設け、該制御プログラムがデータベースから技術計算の計算条件および計算結果を読み出し、該制御プログラムが技術者によって変更された前記技術計算の計算条件および計算結果の数値に基づいて汎用表計算プログラムに計算を実行させ、得られた計算条件及び結果を前記制御プログラムがデータベースに蓄積する計算データ管理システムに関する。
【背景技術】
【０００２】
土木技術計算のうち、複雑な計算を必要とするような分野では高価なソフトウエアが市販されている。そして、配管を地中に埋設する場合の技術計算のような分野であっても、このような技術計算を行うソフトウエアは高額なものしか市販されていない。
【０００３】
現状ではこのような場合、各技術者がマイクロソフト社製のエクセル（登録商標）を使用して各個人が計算し、帳票に印刷していた。従って、類似の計算を複数の技術者が行うという無駄が発生していた。
【０００４】
この無駄を回避するために、汎用表計算ソフトを使用する計算の計算条件や計算結果の蓄積の試みがなされてきた。
例えば、特許文献１には、汎用表計算プログラムへのアドインプログラムが提案され、該アドインプログラムが各シートを一つのデータとしてデータベースに格納するとともに、検索する場合にはアドインプログラムがＳＱＬ文を生成し、検索および表示を行うという発明が開示されている。
【特許文献１】ＷＯ９７／１１４３４号公報
【発明の開示】
【発明が解決しようとする課題】
【０００５】
しかしながら、特許文献１の様なアドインソフトは、アドインソフト自体の使い方に習熟する必要があり、さらに検索にＳＱＬ文の基礎知識が必要となるという不具合があった。
本発明は、かかる実情に鑑み、使用するに際して特別な技術・知識の習得が必要なく、各技術者の技術計算の条件および結果を他の技術者が共有できる計算データ管理システムの提供を目的とする。
【課題を解決するための手段】
【０００６】
前記目的を達成するため、請求項１記載の発明は、汎用表計算プログラムをバックグラウンドで操作する計算データ管理システムであって、汎用表計算プログラムと汎用表計算プログラムを制御する制御プログラムと、前記２種類のプログラムが動作する動作コンピューターと、該動作コンピューターに接続された入出力端末と、前記動作コンピューターに接続された計算条件および計算結果を格納する計算条件・結果データベースおよび汎用表計算プログラムのシートを格納する計算シートデータベースからなり、前記制御プログラムが、前記計算条件・結果データベースから格納されている計算条件・結果を読み出し、前記計算シートデータベースから計算式が格納されているシートを読み出し、入出力端末によって変更された数値を読み取り、これらの数値をもとに汎用表計算ソフトに計算を行わせ、妥当な計算結果を算出した計算条件とその計算結果を前記計算条件・結果データベースに蓄積することを特徴とする。
【０００７】
請求項２記載の発明は、汎用表計算プログラムをバックグラウンドで操作する計算データ管理システムであって、汎用表計算プログラムと汎用表計算プログラムを制御する制御プログラムと、前記２種類のプログラムが動作する動作コンピューターと、該動作コンピューターに接続された入出力端末と、少なくとも一つのリモートコンピューターと、前記リモートコンピューターに接続された計算条件および計算結果を格納する計算条件・結果データベースおよび汎用表計算プログラムのシートを格納する計算シートデータベースと、動作コンピューターとリモートコンピューターを結ぶ通信回線からなり、前記制御プログラムが、前記計算条件・結果データベースから格納されている計算条件・結果を読み出し、前記計算シートデータベースから計算式が格納されているシートを読み出し、入出力端末によって変更された数値を読み取り、これらの数値をもとに汎用表計算ソフトに計算を行わせ、妥当な計算結果を算出した計算条件とその計算結果を前記計算条件・結果データベースに蓄積することを特徴とする。
【０００８】
請求項３記載の発明は、汎用表計算プログラムをバックグラウンドで操作する制御プログラムであって、該制御プログラムと、汎用表計算プログラムが動作する動作コンピューターと、該動作コンピューターに接続された入出力端末と、前記動作コンピューターに接続された計算条件および計算結果を格納する計算条件・結果データベースおよび汎用表計算プログラムのシートを格納する計算シートデータベースからなるシステムにおいて、前記動作コンピューターに、前記計算条件・結果データベースから格納されている計算条件・結果を読み出す手順と、前記計算シートデータベースから計算式が格納されているシートを読み出す手順と、入出力端末によって変更された数値を読み取り、これらの数値をもとに汎用表計算ソフトに計算を行わせる手順と、妥当な計算結果を算出した計算条件とその計算結果を前記計算条件・結果データベースに蓄積する手順を実行させることを特徴とする。
【発明の効果】
【０００９】
請求項１記載の発明は、汎用表計算プログラムをバックグラウンドで操作して、各技術者の行なった計算条件・計算結果を読み込んで利用することができるので、汎用表計算プログラムが作動していることを意識せずに行え、自己若しくは他の技術者が行った計算条件・計算結果を利用できるので、妥当な計算結果を得るまでの試行錯誤を大幅に減らすことができる。
【００１０】
請求項２記載の発明は、前記請求項１記載の発明の効果に加え、通信回線で結ばれたコンピューターに接続された計算条件・結果データベース及びまたは計算シートデータベースとに計算条件・計算結果を格納し、及びまたは計算条件・計算結果を読み出すことができるので、より多くの技術者の計算条件・計算結果を参照することができ、より適切なデータベースを選んで計算条件・計算結果を蓄積することができる。
【発明を実施するための最良の形態】
【００１１】
以下、本発明の計算データ管理システムの一実施の形態を添付図面を参照して説明する。
＜図面の説明＞
図１は、本発明によるシステムの構成全体を模式的に表した図である。
図２は、計算条件・結果データベースのデータ項目と例である。
図３は、制御プログラム１２のフローチャートの前半である。
図４は、制御プログラム１２のフローチャートの後半である。
図５は、制御プログラム画面を表した図である。
図６は、制御プログラム画面を表した図である。
図７は、施工支承角θを表した図である。
図８は、計算シートデータベースのデータ項目と例である。
図９は、汎用表計算プログラム１３に完成した表を印字させた結果の例の１ページ目である。
図１０は、汎用表計算プログラム１３に完成した表を印字させた結果の例の２ページ目である。
図１１は、汎用表計算プログラム１３に完成した表を印字させた結果の例の３ページ目である。
【００１２】
＜実施形態の説明＞
＜構成の説明＞
本発明の一実施形態による汎用表計算プログラム１３を制御して動作する計算データ管理システムの基本構成は、例えば図１に示すごとく、各プログラムを実行する動作コンピューター１１と、動作コンピューター１１に接続された入出力端末１０と、動作コンピューター１１に通信回線１５で接続されたリモートコンピューター１６および１７と、該リモートコンピューター１６，１７にそれぞれ接続された計算条件・結果データベース１８，２０と、該リモートコンピューター１６，１７にそれぞれ接続された計算シートデータベース１９，２１を備える。また、動作コンピューター１１は動作コンピューター１１で実行される、汎用表計算プログラム１３を制御する制御プログラム１２および汎用表計算プログラム１３と、制御プログラム１２が制御する汎用表計算プログラム１３内のシート１４を備える。
【００１３】
本実施形態ではリモートコンピューターは動作コンピューターに２台接続されているが、１台だけでも３台以上でも良い。また、リモートコンピューターを介さず、計算条件・結果データベースと計算シートデータベースが直接動作コンピューターに接続していても良い。
以下、データベースをＤＢと略す。
また、リモートコンピューターとは動作コンピューター１１に通信回線１５で接続された動作コンピューター１１以外のコンピューターをさす。
さらに、通信回線１５は無線および移動体通信網を含む。
【００１４】
＜データ構造の説明＞
計算条件・結果ＤＢ１８は、各技術者が妥当な計算結果を得ることに成功した計算条件・計算結果を蓄積するものであり、図２に示すごとく、例えば、利用状況エリアと、入力条件エリアと、演算結果エリアを有する。利用状況エリアは、計算シートの作成者を表す「作成者ＩＤ」と、当該のデータの採用された回数を示す「採用回数」を有する。入力条件エリアは、埋設する管の種類を表す「管種」と、埋設する管の直径を表す「呼び径」（単位ｍｍ）と、埋設する深さを表す「土被り」（単位ｍ）と、埋設場所の土単位重量をあらわす「土の単位重量」（単位ｋＮ／ｍ３）と、通行車両による荷重を表す「活荷重」とを有する。演算結果は「施工支承角９０」と、「施工支承角１８０」と、「施工支承角３６０」を有する。
施工支承角とは管を砂の上においたときの角度であり、図７のθの角度である。
【００１５】
各項目の具体的なデータ内容は、例えば、「作成者ＩＤ」が「Ａｄ５３６」、「採用回数」が「３」、「管種」が「高剛性管」、「呼び径」が「２００」、「土被り」が「２．１３０」、「土の単位重量」が「１５．５」、「活荷重」が「２５」、「施工支承角９０」が「ＮＧ」、「施工支承角１８０」が「ＮＧ」、「施工支承角３６０」が「ＯＫ」である。
【００１６】
制御プログラム１２の画面は、図５に示すごとく、例えば、設計条件エリアと、計算エリアを有する。設計条件エリアには、管の種類を表すプルダウンメニュー「管種」と、管の直径を表すプルダウンメニュー「呼び径」と、通行車両による荷重を表すプルダウンメニュー「活荷重」と、埋設する深さを表す「土被りＨ」と、埋設場所の土単位重量をあらわす「土の単位重量γ」と、許容される変形率の上限値を表す「許容変形率」と、許容される曲げ応力の上限値を表す「許容曲げ応力σａ」と、読み込み・書き込みをするデータベースを指定するプルダウンメニュー「参照ＤＢ」と、参照ＤＢにデータを格納する指示をするための「ＳＡＶＥ」ボタンと、参照ＤＢからデータを読み込むための「ＯＰＥＮ」ボタンと、読み込み・書き込みをするシートを指定するプルダウンメニュー「参照シート」と、参照シートにデータを格納する指示をするための「ＳＡＶＥ」ボタンと、参照シートからデータを読み込むための「ＯＰＥＮ」ボタンとを備える。
【００１７】
計算エリアの個別計算タブをクリックした場合の制御プログラム１２の画面は、計算結果として、「施工支承角」と、応力の最大値を表す「最大応力σ」と、これら二つの計算結果の判定を表す「判定１」と、管のたわみ量を示す「たわみ量δ」と、管のたわみ率を表す「たわみ率」と、これらの二つの計算結果の判定を表す「判定２」とを有する。またさらに、データベースへの登録の指示を出すための「採用して終了」ボタンと、計算を実行させるための「計算実行」ボタンと、処理を終了させる「終了」ボタンとを有する。
【００１８】
各項目の具体的なデータ内容は、例えば、「管種」が「高剛性管」、「呼び径」が「２００」、「活荷重」が「２５」、「土被りＨ」が「４．４８」、「許容変形率」が「４．０」、「許容曲げ応力σａ」が「１８」、「参照ＤＢ」が「Ｄ：」、「参照シート」が「Ｄ：」、「施工支承角」が「９０」、「最大応力σ」が「１６．８」、「判定１」が「ＯＫ」、「たわみ量δ」が「２．９」、「たわみ率」が「２．９」、「判定２」が「ＯＫ」である。
【００１９】
計算エリアの一括計算タブをクリックした場合の制御プログラム１２の画面は、図６に示すごとく、例えば、計算時の１回あたりの増加量を現す「計算ピッチ」と、計算範囲を示す「計算範囲」とを有し、さらに、データベースへの登録の指示を出すための「採用して終了」ボタンを有する。
【００２０】
各項目の具体的なデータ内容は、例えば、「計算ピッチ」が「０．０１」、計算範囲が「４．４８０〜４．９８０」である。
【００２１】
計算シートＤＢは、図８に示すごとく、例えば、制御プログラム画面（図５〜６）の設計条件エリアに表示するデータである入力部８１と、制御プログラム画面（図５〜６）の設計条件エリアのプルダウンメニューに表示するデータである参照部８２と、制御プログラム画面（図５〜６）の個別計算タブをクリックしたときに表示されるデータである出力部８３とを備える。
【００２２】
入力部８１は、制御プログラム画面（図５〜６）の設計条件エリアと同様の項目、例えば、「管種」、「呼び径」、「土被り」、「土の単位重量」、「許容変形率」、「許容曲げ応力度」、「活荷重」を備え、各項目の具体的なデータ内容は、例えば、「管種」が「高剛性管」、「呼び径」が「２００ｍｍ」、「土被り」が「４．４８０ｍ」、「土の単位重量」が「１８．０ｋＮ/ｍ３」、「許容変形率」が「４．０％」、「許容曲げ応力度」が「１８Ｎ／ｍｍ２」、「活荷重」が「２５」である。
【００２３】
参照部８２は、例えば、「管種」、「硬質管呼び径」、「高剛性管呼び径」を備え、各項目の具体的なデータ内容は、例えば、「管種」が「高剛性管」、「硬質管呼び径」が「７５」、「高剛性管呼び径」が「２００」である。
【００２４】
出力部８３は、制御プログラム画面（図５〜６）の個別計算タブをクリックしたときに表示される項目、例えば、「施工支承角」、「最大応力σ」、「判定１」、「たわみ量」、「たわみ率」、「判定２」を備え、また、計算式を保持している。各項目の具体的なデータ内容は、例えば、「施工支承角」が「９０」、「最大応力σ」が「２４．１」、「判定１」が「ＮＧ」、「たわみ量」が「１１．６３」、「たわみ率」が「５．６」、「判定２」が「ＮＧ」である。
【００２５】
汎用表計算プログラム１３に完成した表を印字させた結果は、図９から図１１に示すごとく、例えば、計算の条件を示す「設計条件」と、計算結果である「鉛直加重」と、計算に用いた式を示す「構造計算式」と、計算結果である「強度計算」を含む。各項目の具体的な内容は、「設計条件」は「管種」、「呼び径」、「土被り」、「土の単位重量」、「許容変形率」、「許容曲げ応力度」を含む。「鉛直加重」は「埋め戻し土による鉛直土圧」、「活荷重による鉛直土圧」を含む。「構造計算式」は「最大曲げモーメント」、「曲げ応力」、「たわみ率」を含む、「強度計算」は「曲げ応力の計算」、「たわみ率の計算」を含む。
【００２６】
＜動作の説明＞
制御プログラム１２の動作を、図３および図４を用いて説明する。
制御プログラム１２は動作コンピューターで実行される。
図３を参照して説明する。制御プログラム１２は、起動されるとあらかじめ定められた計算条件・結果ＤＢ１８または２０から計算条件・結果を読み出し［ステップ１２１］、それを制御プログラム画面（図５〜６）に表示する。次に、入力値である表示された計算条件・結果が入出力端末によって修正される［ステップ１２２］。次に、制御プログラム１２は計算シートＤＢ１９，２１から汎用表計算プログラム１３のシート１４を読み出す［ステップ１２４］。次に、制御プログラム１２は汎用表計算プログラム１３を起動する［ステップ１２５］。次に制御プログラム１２は汎用表計算プログラム１３に読み出したシート１４を開かせる［ステップ１２６］。次に、制御プログラムはシート１４内の入力部、参照部、計算結果部を読み込む［ステップ１２７］。
【００２７】
次に、図４に移る。制御プログラム１２はシート１４から読み込んだ入力部、参照部、計算結果部を制御プログラム画面（図５，図６）に表示する［ステップ１２８］。次に、入出力端末１０により、表示された入力値が変更される［ステップ１２９］。入力値が変更されると制御プログラムは汎用表計算ソフトに数値を引き渡し、汎用表計算プログラム１３は引き渡された数値をもとに計算を実行し、結果を制御プログラムに返し、制御プログラムは計算結果を制御プログラム画面（図５，図６）に表示する［ステップ１３１］。制御プログラム画面（図５，図６）の「採用して終了」ボタンが押されたかどうか判定する。押されていなければ［ステップ１２９］に戻る。押されたら［ステップ１３２］に進む。次に、制御プログラム１２は汎用表計算プログラム１３に計算結果を計算書の形でユーザー端末１０に格納する［ステップ１３２］。次に、制御プログラム１２は計算条件・計算結果をあらかじめ定められた計算条件・結果ＤＢ１８または２０に格納する［ステップ１３３］。
【００２８】
実施形態の詳細を、図１を用いて説明する。
＜他の技術者の計算条件・結果の読み込みと計算の実施＞
計算を実施する場合はまず制御プログラム１２を起動する。制御プログラム１２は起動されるとあらかじめ定められたデータベースである計算条件・結果ＤＢ１８または２０から計算条件・結果を読み出し、それを制御プログラム画面（図５〜６）に表示する。この計算条件・結果は、以前にユーザーまたは他の技術者が行った計算条件および計算結果であるので、これらを参考にすることで、ユーザーは無駄な試行錯誤を回避することができる。
次に、入力値である表示された計算条件・結果が入出力端末によって、ユーザーが計算しようとしている数値に修正される。
【００２９】
修正されたデータをもとに、制御プログラム１２はあらかじめ定められたデータベースである計算シートＤＢ１９または２１から汎用表計算プログラム１３のシート１４を読み出し、ついで制御プログラム１２は汎用表計算プログラム１４を起動し、読み出した前記シート１４を汎用表計算プログラム１４で開かせる。
次いで、制御プログラム１２は読み出した前記シート１４から入力部８１と、参照部８２と出力部８３を読み込み、制御プログラム画面（図５〜６）に表示する。
【００３０】
読み出した前記シート１４は、ユーザーが所望する条件に近いデータを有している。また、参照部８２は制御プログラム画面（図５〜６）の設計条件エリアのプルダウンメニューの「管種」、「呼び径」、「活荷重」に設定される。
ユーザーはさらに数値を所望する条件に近いものに修正し、必要な結果が出るまで制御プログラム１２を介して汎用表計算プログラム１４に計算を実行させる。
これらの動作は、制御プログラム１２が汎用表計算プログラム１４を制御して行い、汎用表計算ソフト１４が起動していることをユーザーは意識する必要はない。
【００３１】
＜計算条件・計算結果の蓄積＞
制御プログラム１２で妥当な計算結果が得られた場合には、制御プログラム１２の「採用して終了」ボタンが押下される。「採用して終了」ボタンが押下されると、制御プログラム１２はバックグラウンドで動作している汎用表計算プログラム１３に、計算結果を計算書の形でユーザー端末１０に格納を指示する。
【００３２】
この計算書は、図９から図１１に記載したように、提出用の計算書として作成されている。それゆえ、ユーザーは計算結果を計算のたびごとに提出用のフォーマットにまとめる必要がなく、作業時間を節約することができる。
【００３３】
また、「採用して終了」ボタンが押下されると、制御プログラム１２は計算条件・計算結果をあらかじめ定められた計算条件・結果ＤＢ１８または２０に格納する。これにより、各技術者の行った計算条件・計算結果がデータベース内に蓄積されてゆく。蓄積されたデータは上述の＜他の技術者の計算条件・結果の読み込みと計算の実施＞に記載したように、自ら、或いは他の技術者が計算するときに読み込まれ、自ら、或いは他の技術者の利用に供することができるので、適した計算結果を得るために試行錯誤を繰り返さずにすむ。
【００３４】
＜ネットワークを利用したデータの読み込み及び蓄積＞
本発明では、ネットワークを介して計算条件・計算結果の蓄積と読み込みおよび、汎用表計算ソフトのシートの蓄積と読み込みを行うことができる。
制御プログラム１２は制御プログラム画面（図５〜６）のプルダウンメニュー「参照ＤＢ」の矢印がクリックされると、参照可能なネットワークを表示する。表示されたネットワークのうち一つがクリックされると参照可能なデータベースが表示され、表示されたデータベースのうち一つがクリックされるとデータの蓄積または読み込みをするデータベースが特定される。
この状態で「ＳＡＶＥ」ボタンをクリックするとデータがプルダウンメニューで特定されたデータベースに追加され、「ＯＰＥＮ」ボタンをクリックするとプルダウンメニューで特定されたデータベースが開かれる。
【００３５】
制御プログラム１２は制御プログラム画面（図５〜６）のプルダウンメニュー「参照シート」の矢印がクリックされると、参照可能なネットワークを表示する。表示されたネットワークのうち一つがクリックされると参照可能なデータベースが表示され、表示されたデータベースのうち一つがクリックされるとデータの蓄積または読み込みをするデータベースが特定される。
この状態で「ＳＡＶＥ」ボタンをクリックするとシートがプルダウンメニューで特定されたデータベースに追加され、「ＯＰＥＮ」ボタンをクリックするとプルダウンメニューで特定されたシートが開かれる。
【００３６】
以上のように構成することで、各技術者が妥当な計算結果を得た計算条件・計算結果が蓄積されており、それを制御プログラム１２が読み込み、汎用表計算プログラム１３に計算させることができるので、各技術者は計算の無駄な試行錯誤を防止することができ、出力は出力専用のシートにすることで迅速に美しい計算結果を印刷することができる。新たに得られた、妥当な計算結果を得る計算条件および計算結果は、制御プログラム１２がデータベースに蓄積することができるので、さらにデータベースを充実させることができる。
【００３７】
また、通信回線で接続されたリモートコンピューター１６，１７に接続された計算条件・結果ＤＢ１８，２０および計算シートＤＢ１９，２１にアクセスできるので、これらデータベースに計算条件・計算結果データやシート１４を蓄積することも、蓄積されたデータを読み込んで利用することもできる。
【図面の簡単な説明】
【００３８】
【図１】本発明によるシステムの構成全体を模式的に表した図である。
【図２】計算条件・結果データベースのデータ項目と例である。
【図３】制御プログラム１２のフローチャートの前半である。
【図４】制御プログラム１２のフローチャートの後半である。
【図５】制御プログラム画面を表した図である。
【図６】制御プログラム画面を表した図である。
【図７】施工支承角θを表した図である。
【図８】計算シートデータベースのデータ項目と例である。
【図９】汎用表計算プログラム１３に完成した表を印字させた結果の例の１ページ目である。
【図１０】汎用表計算プログラム１３に完成した表を印字させた結果の例の２ページ目である。
【図１１】汎用表計算プログラム１３に完成した表を印字させた結果の例の３ページ目である。
【符号の説明】
【００３９】
１０：入出力端末、１１：動作コンピューター、１２：制御プログラム、１３：汎用表計算プログラム、１４：汎用表計算プログラムのシート、１５通信回線、１６，１７：リモートコンピューター、１８，２０：計算条件・結果データベース、１９，２１：計算シートデータベース、８１：入力部、８２：参照部、８３：出力部。
【図１】
2006285813.tif 000003
【図２】
2006285813.tif 000004
【図３】
2006285813.tif 000005
【図４】
2006285813.tif 000006
【図５】
2006285813.tif 000007
【図６】
2006285813.tif 000008
【図７】
2006285813.tif 000009
【図８】
2006285813.tif 000010
【図９】
2006285813.tif 000011
【図１０】
2006285813.tif 000012
【図１１】
2006285813.tif 000013